【事件の表示】
　特願２０１５−　２５１４０「通信方法，電気機器，制御装置，及びシステム」拒絶査定不服審判事件〔平成２７年　５月１４日出願公開，特開２０１５−　９２８２６〕について，次のとおり審決する。
【結　論】
　本件審判の請求は，成り立たない。
【理　由】
第１　手続の経緯
　本願は，平成２３年　４月　８日に出願された特願２０１１−　８６８２３号の一部を平成２７年　２月１２日に新たな特許出願としたものであって，平成２７年１１月１２日付けで拒絶理由を通知し（発送日：同年１１月１７日），平成２８年　１月１８日付けで意見書，手続補正書が提出され，同年　２月　２日付けで拒絶査定（発送日：同年　２月　９日）がなされ，これに対して，同年　５月　９日付けで本件拒絶査定不服審判の請求がなされると同時に手続補正がなされたものである。
第２　平成２８年　５月　９日付けの手続補正の却下の決定
［補正の却下の決定の結論］　
　平成２８年　５月　９日付けの手続補正（以下，「本件補正」という。）を却下する。
［理由］
１．補正後の本願発明
　本件補正により，特許請求の範囲の請求項１は，
「【請求項１】
　電力系統から電力の供給を受ける需要家に設けられた電気機器から前記需要家に設けられた
制御装置
　前記メッセージは，前記電気機器の運転状態を示す情報が格納される運転状態フィールド，及び前記電気機器
の運転状態
　前記特性値フィールドは，前記特性値の整数部を格納する第１のデータフィールド及び前記特性値の小数部を格納する第２のデータフィールドを含むことを特徴とする通信方法。」
と補正された（当審にて，補正された箇所に下線を付した。）。
　本件補正は，本件補正前の請求項１に記載された発明を特定するために必要な事項である「他の機器」を「制御装置」と，「電気機器に関する特性値」を「電気機器の運転状態に関する特性値」と，それぞれ限定することを含むものであって，本件補正後の請求項１に記載された発明は，本件補正前の請求項１に記載された発明と，産業上の利用分野及び解決しようとする課題が異なるものではないから，本件補正は，特許法第１７条の２第５項第２号の特許請求の範囲の減縮を目的とするものに該当する。
　そこで，本件補正後の前記請求項１に記載された発明（以下，「本願補正発明」という。）が特許出願の際独立して特許を受けることができるものか（特許法第１７条の２第６項において準用する同法第１２６条第７項の規定に適合するか）について以下に検討する。
　
２．引用例及びその記載事項
（１）原査定の拒絶の理由に引用された，本願の出願前に頒布された刊行物である特開平１−１４３４９４号公報（以下，「刊行物１」という。）には，「ホームバスシステム」に関し，図面とともに以下の事項が記載または示されている（下線部は当審で付与した。以下同様。）
　
（ア）「２．特許請求の範囲
　各々に複数の電気機器が接続され，電気機器から状態信号を入力すると共に電気機器に操作信号を出力する複数のコントローラ手段と，
　該複数のコントローラ手段の各々に接続されている電気機器の状態を監視してその操作を行うリモコン手段と，
　前記複数のコントローラ手段と前記リモコン手段との間で信号の授受を行うためのバスラインと，
　該バスラインと前記複数のコントローラ手段の各々との間に設けられたインターフェースユニットとを備え，
　前記インターフェースユニットは，前記リモコン手段からの入力データリクエスト信号に応じて対応するコントローラ手段から常時入力している該コントローラ手段に接続されている電気機器の状態についての入力データを前記リモコン手段に送出し，かつ前記リモコン手段からの出力データリクエスト信号に応じて対応するコントローラ手段に対して出力している該コントローラ手段に接続されている電気機器の操作についての出力データを前記リモコン手段に送出すると共に前記リモコン手段から操作信号を受け取り，該操作信号により対応するコントローラ手段に対する前記出力データを変更する，
　ことを特徴とするホームバスシステム。」（１頁左下欄４行〜同頁右下欄９行）
（イ）「［産業上の利用分野］
　本発明は，一般家庭における電気機器の起動・停止，状態監視などをバスラインを通じてリモコンにより行うホームバスシステムに関するものである。」（１頁右下欄１１〜１５行）
（ウ）「第２図は本発明によるホームバスシステムの一実施例を示す概念図であり，図において１０は屋内に配索されたホームバス（ＨＢ）ラインであり，これは第３図に示すように電話回線用ツィストペア線１０ａと制御用ツィストペア線１０ｂとからなり，ＨＢライン１０には室内の各所においてＨＢコンセント１０ｃが設けられている。１２はメインリモコン，１４はサブリモコンであり，各々は専用のインターフェースユニット（ＳＩＦＵ）１２ａ及び１４ａをそれぞれ介してＨＢライン１０の任意のＨＢコンセント１０ｃに接離自在に接続される。
　２０はルームコントローラ，２２はボイラーコントローラ，２４は玄関コントローラ，２６は電話コントローラ，２８はセキュリティコントローラであり，これらは汎用のインターフェースユニット（ＩＦＵ）３０を介して任意のＨＢコンセント１０ｃに接離自在に接続される。」（２頁右下欄４行〜３頁左上欄１行）
（エ）「ルームコントローラ２０は各部屋に対応してサブリモコン１４とセットにして設置され，これには冷暖房室内機２０ａ，照明器２０ｂ，火災センサ２０ｃ，非常（救急）ボタン２０ｄ，ガスセンサ２０ｅ，室温センサ２０ｆ，防犯センサ２０ｇなどが接続されている。第３図に示すように，該ルームコントローラ２０には，防犯センサ２０ｇからの防犯信号，火災センサ２０ｃからの火災検知信号，非常（救急）ボタン２０ｄからの非常信号，冷暖房室内機２０ａからのファンコイル状態信号，ガスセンサ２０ｅからのガス漏れ・故障検出信号，室温センサ２０ｆからの部屋温度信号がそれぞれ入力されると共に，該ルームコントローラ２０からは，冷暖房室内機２０ａへのファンコイル操作信号，照明器２０ｂへの照明操作信号，冷暖房室内機２０ａに供給する冷温水を切り換えるための三方弁操作信号がそれぞれ出力される。」（３頁左上欄２〜１８行）
（オ）「ボイラーコントローラ２２は，ボイラーなどの近傍に設置され，これには給湯のためのボイラー２２ａ，冷暖房用の冷温水を発生する冷暖房室外機２２ｂ，太陽熱温水器２２ｃ，風呂制御器２２ｄ，外気温度計２２ｅなどが接続されている。第３図に示すように，該ボイラーコントローラ２２には，風呂制御器２２ｄからの風呂水位信号，ボイラー２２ａからのボイラー状態信号，風呂制御器２２ｄからの風呂給水状態信号，太陽熱温水器２２ｃからのポンプ状態信号，冷暖房室外機２２ｂからの動作状態信号，風呂制御器２２ｄからの風呂温度信号，外気温度計２２ｅからの外気温度信号，冷暖房室外機２２ｂからの冷温水温度信号，太陽熱温水器２２ｃからの温水温度信号が入力されると共に，該ボイラーコントローラ２２からは，ボイラー２２ａへの電源操作信号，風呂制御器２２ｄへの風呂給水操作信号，冷暖房室外機２２ｂへの運転操作信号が出力される。」（３頁左上欄１９行〜同頁右上欄１６行）
（カ）「玄関コントローラ２４は玄関回りに設置され，これには玄関の照明器２４ａ，玄関の電気錠２４ｂが接続されている。第３図に示すように，該玄関コントローラ２４には，電気錠２４ｂの状態信号が入力されると共に，該玄関コントローラ２４からは電気錠２４ｂへの錠開操作信号及び錠閉操作信号，照明器２４ａへの照明操作信号が出力される。
　電話コントローラ２６は外部から電話回線を通じて入力されている各種操作信号を受信したり，状態信号を電話回線を通じて送信する。また，セキュリティコントローラ２８は，各部屋の防犯センサ２０ｇ，火災センサ２０ｃ，非常ボタン２０ｄ，ガスセンサ２０ｅからの信号に応じてルームコントローラ２０が発生する異常信号に基づいて異常を監視センターに自動ダイヤルして通報する。」（３頁右上欄１７行〜同頁左下欄１２行）
（キ）「以上の構成において，ＩＦＵ３０と各コントローラとの関係を第７図に要約して示す。
　図において，ＩＦＵ３０のＯ０〜Ｏ７はコントローラの接点出力(１)〜(８)に接続されている機器の操作に使用され，Ｏ８〜Ｏ１５は温度入力ＲＥＱ用，冷／暖房設定用又は温度設定用に使用される。一方，Ｉ０〜Ｉ７は接点入力(１)〜(５)及び照明状態入力に接続されている機器或いはガス漏れ入力及びガスセンサ故障入力に接続されているガスセンサの状態確認に使用され，Ｉ８〜Ｉ１５は温度入力(１)〜(４)に接続されている温度センサからの温度データの確認に使用される。
　上記Ｏ８〜Ｏ１５に入力される温度入力ＲＥＱ信号，冷暖設定信号，温度設定信号はコントローラ内のＩ／Ｏ回路及びＲＡＭ２０２に取り込まれる。また，Ｉ８〜Ｉ１５に入力される温度データはアナログスイッチ２０８及びＡ／Ｄ変換器２０５を介してコントローラ内に取り込まれる。冷暖設定信号による冷暖設定データ，温度設定信号による設定温度データ及びＡ／Ｄ変換器２０５を介して入力した温度データはＩ／Ｏ回路及びＲＡＭ２０２の所定領域にそれぞれ格納され，温度データについては温度入力ＲＥＱ信号の入力に応じてＩ８〜Ｉ１５から出力される。」（４頁右上欄１９行〜同頁右下欄２行）
（ク）「特にルームコントローラ２０の場合，接点出力(１)は冷暖房室内機２０ａのファンコイル操作に，接点出力(８)は照明器２０ｂの照明操作に，そして三方弁用出力は冷暖房室内機２０ｄの三方弁操作にそれぞれ使用される。一方，接点入力(１)には防犯センサ２０ｇの状態が，接点入力(２)には火災センサ２０ｃの状態が，接点入力(３)には非常（救急）ボタン２０ｄの状態が，接点入力(４)には冷暖房室内機２０ａのファンコイル状態が，照明状態入力には照明器２０ｂの状態が，ガス漏れ入力及びガスセンサ故障入力にはガスセンサ２０ｅの有電圧出力信号が，温度入力(１)には室温センサ２０ｆからの温度信号がそれぞれ入力される。このコントローラ２０は，その温度入力(１)に入力される部屋温度を，Ｏ８〜Ｏ１５に入力されＩ／Ｏ回路及びＲＡＭ２０２に記憶されている冷暖房設定区分及び温度設定値と比較し，部屋温度を設定温度に略等しくなるように，三方弁用出力から信号を出力して三方弁の操作を行う。」（４頁右下欄３行〜５頁左上欄１行）
（ケ）「ボイラーコントローラ２２の場合，接点出力(１)はボイラー２２ａの電源操作に，接点出力(２)は風呂制御器２２ｄの操作に，接点出力(３)は冷暖房室外機２２ｂの操作にそれぞれ使用される。一方，温度入力(１)（審決注：第７図の記載などからみて「接点入力(１)」の誤記と認める。）には風呂制御器２２ｄからの風呂水位が，接点入力(２)にはボイラー２２ａからのボイラー状態が，接点入力(３)には風呂制御器２２ｄからの風呂状態が，接点入力(４)には太陽熱温水器２２ｃのポンプ状態が，接点入力(５)には冷暖房室外機２２ｂの状態がそれぞれ入力される。また，温度入力(１)には風呂制御器２２ｄからの風呂温度信号が，温度入力(２)には外気温度計２２ｅからの外気温度信号が，温度入力(３)には冷暖房室外機２２ｂからの冷温水温度信号が，温度入力(４)には太陽熱温水器２２ｃからの温水温度信号がそれぞれ入力される。」（５頁左上欄２〜１７行）
（コ）　「制御コードは第１１図に示すようにｂ１〜ｂ５が“１”に固定され，ｂ０によりプロトコルスイッチが指定され，ｂ６及びｂ７で再送フレームのナンバー（０〜３）が指定されるが，本例では“０”に固定されている。再送フレームのナンバーにより下表IIIのように再送の回数が付与される。
　表III＜省略＞
　電文長コードはデータ等のキャラクタ数を指定する。
　データ等は制御コードのｂ０が“０”に固定され，リモコンと各ＩＦＵ間のデータ等を規定していて，第１２図に示すように１キャラクタ目によりコマンドが，２キャラクタ目以降にデータがそれぞれ割り当てており，１キャラクタ目のｂ４〜ｂ７が“１”に固定され，ｂ０〜ｂ３により下表IVのようなコマンドが規定されている。
　表IV＜省略＞
　すなわち，コマンドｂ０〜ｂ３が“００１０”，“１０１０”，“０００１”，及び“１００１”のときはデータの伝達を伴い，データ形式ａ〜ｃに応じて２キャラクタ目以降はそれぞれ第１３図(ａ)〜(ｃ)に示すような構成となっている。第１３図(ａ)の出力データは各ビットが“１”のとき出力が“Ｈ”となり，第１３図(ｂ)の入力データは入力が“Ｈ”のとき各ビットが“１”となる。」（６頁左上欄１行〜同頁左下欄１行）
（サ）「第７図において，温度データは入力への上位桁ＲＥＱ及び下位桁ＲＥＱ信号に応じて上位及び下位に分けて出力される。特に上位の１０位は±の符号を含み，−符号の場合は９とし，９以外は＋側としている。よって，−９９.９℃〜８９９.９℃の範囲の温度データが表される。例えば，１３.５℃は０１３５，−１３.５℃は９１３５，１２３.４℃は１２３４と表される。
　第７図について上述した操作及び状態確認の動作を第１５図乃至第２２図を参照して以下説明する。該動作は，リモコン，ＩＦＵ及びコントローラ間の信号の流れによって８つの類型Ｐ１〜Ｐ８に分けられ，第７図には対応する類型を（　）内に示してある。」（７頁左上欄５〜１８行）
（シ）「第１５図は類型Ｐ１の動作時のリモコン，ＩＦＵ，コントローラ間の信号の流れを示し，該類型Ｐ１では，リモコン側で，ルームコントローラ２０に接続されている冷暖房室内機２０ａのファンコイル及び照明器２０ｂ，ボイラーコントローラ２２に接続されているボイラー２２ａ，風呂制御器２２ｄ，太陽熱温水機２２ｃのポンプ及び冷暖房室外機２２ｂ，玄関コントローラ２４に接続されている電気錠２４ｂ及び照明器２４ａの各々の状態の確認が行われる。このような動作は，リモコンにおけるスイッチ兼用表示器１２３上の表示のタッチ操作によってメニュー選択を行った際，選択されたメニューに応じた表示を行うためのデータを得るために行われる。
　上述のような操作が行われると，まずリモコンからＩＦＵ３０に入力データＲＥＱ信号が送信される。入力Ｉ０〜Ｉ１５にコントローラを通じて各種状態が常時入力データとして入力されているＩＦＵ３０は，リモコンからの入力データＲＥＱ信号に応じてリモコンにまずＡＣＫ信号を送り，続いて入力データを送る。入力データを受け取ったリモコンはＩＦＵ３０にＡＣＫ信号を送ってＩＦＵ３０との間の信号の授受を終了する。リモコンは受け取った入力データに基づいてスイッチ兼用表示器１２３に表示を行うなどして操作者に状態確認を行わせる。なお，ＩＦＵ３０の入力Ｉ０〜Ｉ１５に入力
される入力信号は状態確認すべき機器がオンのとき“１”，オフのとき“０”である。」（７頁左上欄１９行〜同頁左下欄７行）
（ス）「第２０図は類型Ｐ６の動作時のリモコン，ＩＦＵ，コントローラ間の信号の流れを示し，該類型Ｐ６では，リモコン側で，ルームコントローラ２０に接続された温度センサにより検知される部屋温度，ボイラーコントローラ２２に接続された温度センサにより検知される風呂温度，外気温度，冷温水温度，太陽熱温水器温度の確認が行われる。
　この場合，まずリモコンからＩＦＵ３０に出力データＲＥＱ信号が送られ，これに応じてＩＦＵ３０からリモコンにＡＣＫ信号と出力データが送られる。出力データを受け取ったリモコンはＩＦＵ３０にＡＣＫ信号を送ると共に，温度ＲＥＱ信号（上位桁）を上表VIに基づいてセットし，これを出力データとしてＩＦＵ３０に出力する。該出力データを受け取ったＩＦＵ３０はリモコンにＡＣＫ信号を送ると共に，コントローラに温度ＲＥＱ信号（上位桁）を出力して出力データを変更する。
　この温度ＲＥＱ信号を受け取ったコントローラは温度データ（上位桁）を収集する。この収集された温度データ（上位桁）はコントローラからＩＦＵ３０に出力され，これがＩＦＵ３０に入力データとして入力される。
　温度ＲＥＱ信号（上位桁）を送出後ＩＦＵ３０からＡＣＫ信号を受け取ったリモコンは，入力データＲＥＱ信号をＩＦＵ３０に送る。これに応じてＩＦＵ３０はＡＣＫ信号とコントローラから入力されている入力データをリモコンに送出する。
　入力データを受け取ったリモコンはＩＦＵ３０にＡＣＫ信号を送ると共に，受け取った入力データによって温度（上位桁）を確認の上ＩＦＵ３０に出力データ温度ＲＥＱ信号を送出する。
　これに応じてＩＦＵ３０からリモコンにＡＣＫ信号と出力データが送られる。出力データを受け取ったリモコンはＩＦＵ３０にＡＣＫ信号を送ると共に，温度ＲＥＱ信号（下位桁）を上表VIに基づいてセットし，これを出力データとしてＩＦＵ３０に送出する。該出力データを受け取ったＩＦＵ３０はリモコンにＡＣＫ信号を送ると共に，コントローラに温度ＲＥＱ信号（下位桁）を出力して出力データを変更する。
　この温度ＲＥＱ信号を受け取ったコントローラは温度データ（下位桁）を収集する。この収集された温度データ（下位桁）はコントローラからＩＦＵ３０に出力され，これがＩＦＵ３０に入力データとして入力される。
　温度ＲＥＱ信号（下位桁）を送出後ＩＦＵ３０からＡＣＫ信号を受け取ったリモコンは，入力データＲＥＱ信号をＩＦＵ３０に送る。これに応じてＩＦＵ３０はＡＣＫ信号とコントローラから入力されている入力データをリモコンに送出する。入力データを受け取ったリモコンはＩＦＵ３０にＡＣＫ信号を送ると共に，受け取った入力データによって温度（下位桁）を確認し，動作を終了する。」（９頁左上欄１０行〜同頁右下欄４行）
（セ）第２図からみて，当該システムを有する家庭は，電力系統からの電力の供給を受けていることが理解できる。
　そして，上記(イ)の「本発明は，一般家庭における電気機器の起動・停止，状態監視などをバスラインを通じてリモコンにより行うホームバスシステムに関するものである。」という記載と第２図からみて，刊行物１には，
電力系統から電力の供給を受ける一般家庭に設けられた電気機器
（ソ）上記(エ)，(オ)の記載及び上記(ス)の「第２０図は類型Ｐ６の動作時のリモコン，ＩＦＵ，コントローラ間の信号の流れを示し，該類型Ｐ６では，リモコン側で，ルームコントローラ２０に接続された温度センサにより検知される部屋温度，ボイラーコントローラ２２に接続された温度センサにより検知される風呂温度，外気温度，冷温水温度，太陽熱温水器温度の確認が行われる。」との記載などからみて，これら温度センサにより検知される各温度は，冷暖房室内器２０ａ，風呂制御器２２ｄ，冷暖房室内器２２ｂ及び太陽熱温水器２２ｃである各電気機器の運転状態に関する特性値であることが理解できる。
（タ）上記(ス)の「この温度ＲＥＱ信号を受け取ったコントローラは温度データ（上位桁）を収集する。この収集された温度データ（上位桁）はコントローラからＩＦＵ３０に出力され，これがＩＦＵ３０に入力データとして入力される。温度ＲＥＱ信号（上位桁）を送出後ＩＦＵ３０からＡＣＫ信号を受け取ったリモコンは，入力データＲＥＱ信号をＩＦＵ３０に送る。これに応じてＩＦＵ３０はＡＣＫ信号とコントローラから入力されている入力データをリモコンに送出する。」及び「この温度ＲＥＱ信号を受け取ったコントローラは温度データ（下位桁）を収集する。この収集された温度データ（下位桁）はコントローラからＩＦＵ３０に出力され，これがＩＦＵ３０に入力データとして入力される。温度ＲＥＱ信号（下位桁）を送出後ＩＦＵ３０からＡＣＫ信号を受け取ったリモコンは，入力データＲＥＱ信号をＩＦＵ３０に送る。これに応じてＩＦＵ３０はＡＣＫ信号とコントローラから入力されている入力データをリモコンに送出する。」との記載，及び第２０図のＩＦＵからリモコンに向かう「入力データ」と付記された矢印の記載などからみて，
各電気機器を制御するコントローラがＩＦＵ３０と協働して
リモコンに対して，温度データの上位桁又は下位桁であるデータを送出するステップ
　
（チ）上記(コ)の表IVの「内容」の欄の「ＩＦＵよりリモコンへの入力データ(Ｉ０〜Ｉ１５）」とした行の「データ形状」の欄が「ｂ」との記載から，刊行物１には，ＩＦＵよりリモコンへ入力データを送るとき，データ形状ｂすなわち第１３図(ｂ)に示す構成で入力データＩ０〜Ｉ１５を送る
通信方法
　そして，上記(キ)の「一方，Ｉ０〜Ｉ７は接点入力(１)〜(５)及び照明状態入力に接続されている機器或いはガス漏れ入力及びガスセンサ故障入力に接続されているガスセンサの状態確認に使用され，Ｉ８〜Ｉ１５は温度入力(１)〜(４)に接続されている温度センサからの温度データの確認に使用される。」，上記(ク)の「一方，接点入力(１)には防犯センサ２０ｇの状態が，接点入力(２)には火災センサ２０ｃの状態が，接点入力(３)には非常（救急）ボタン２０ｄの状態が，接点入力(４)には冷暖房室内機２０ａのファンコイル状態が，照明状態入力には照明器２０ｂの状態が，ガス漏れ入力及びガスセンサ故障入力にはガスセンサ２０ｅの有電圧出力信号が，温度入力(１)には室温センサ２０ｆからの温度信号がそれぞれ入力される。」，上記(ケ)の「一方，温度入力(１)（審決注：第７図の記載などからみて「接点入力(１)」の誤記と認める。）には風呂制御器２２ｄからの風呂水位が，接点入力(２)にはボイラー２２ａからのボイラー状態が，接点入力(３)には風呂制御器２２ｄからの風呂状態が，接点入力(４)には太陽熱温水器２２ｃのポンプ状態が，接点入力(５)には冷暖房室外機２２ｂの状態がそれぞれ入力される。また，温度入力(１)には風呂制御器２２ｄからの風呂温度信号が，温度入力(２)には外気温度計２２ｅからの外気温度信号が，温度入力(３)には冷暖房室外機２２ｂからの冷温水温度信号が，温度入力(４)には太陽熱温水器２２ｃからの温水温度信号がそれぞれ入力される。」との記載，及び第７図の記載，などからみて，上記(タ)で指摘した温度データの上位桁又は下位桁であるデータを送出するステップでリモコンへ送られる入力データは，
入力データＩ０〜Ｉ１５であり，そのＩ０〜Ｉ７部分には
電気機器の運転状態を示す情報が格納されており，そのＩ８〜Ｉ１５部分に温度データの上位桁又は下位桁であるデータが格納されている
温度データの上位桁又は下位桁であるデータを送出するステップは，
「温度データの上位桁又は下位桁を含むデータ」を送出するステップ
（ツ）上記（ス）の記載によれば，
温度データの上位桁と下位桁とがそれぞれ別のステップでリモコンへ送信される
　そうすると，これらの事項に基づいて，本願補正発明の表現に倣って整理すると，刊行物１には，以下の発明（以下，「引用発明」という。）が記載されていると認められる。
「電力系統から電力の供給を受ける一般家庭に設けられた電気機器から，各電気機器を制御するコントローラがＩＦＵ３０と協働して，前記一般家庭に設けられたリモコンに対して温度データの上位桁又は下位桁を含むデータを送出するステップを備え，
　前記ステップで送出されるデータは入力データＩ０〜Ｉ１５であり，そのＩ０〜Ｉ７部分には電気機器の運転状態を示す情報が格納されており，そのＩ８〜Ｉ１５部分に温度データの上位桁又は下位桁であるデータが格納され，温度データの上位桁と下位桁とがそれぞれ別のステップでリモコンへ送信される，通信方法。」
　
（２）原査定の拒絶の理由に引用された，本願の出願前に頒布された刊行物である特開２００６−４２３３４号公報（以下，「刊行物２」という。）には，「可変ビットレートマルチメディアデータの往復遅延時間測定装置及び方法」に関し，図面とともに以下の事項が記載されている。
（ア）「【００３３】
　
リアルタイムビデオ送信部１００は，ＳＲパケットを送信するときの送信時間，
を前記ＳＲパケットに記録した後，前記ＳＲパケットを送信する。
ＳＲパケットの送信時間は，小数点を基準に整数部分と小数部分で表示され，整数部分に上位３２ビット（図５のＮＴＰタイムスタンプ（上位３２ビット）フィールド）が割り当てられ，小数部分に下位３２ビット（ＮＴＰタイムスタンプ（下位３２ビット）フィールド）が割り当てられる。
　
（３）本願の出願前に頒布された刊行物である特開昭５４−６２４７８号公報（以下，「刊行物３」という。）には，「遠方監視制御装置」に関し，図面とともに以下の事項が記載されている。
（ア）「２．特許請求の範囲
　被監視所に設けられた
機器の状態を示すオンオフデータと，上記機器による計測データとを並列の伝送路からそれぞれ入力し，上記計測データとオンオフデータの固定ワードを直列に連結して，サイクリック送受信する遠方監視制御装置
（イ）「本発明は被監視所の状態または状態の変化等をサイクリック送受信する遠方監視制御装置に係り，特に送信データの切換装置に関する。
　従来この種の装置として第１図のブロック図に示すものが用いられていた。すなわち図において，(１)は被監視所に設置された被制御機器のオンオフ状態を並列データで入力するデイジタル入力装置，(２)はこのデイジタル入力装置(１)の順序を走査し，このオンオフデータを送信するタイミングを与える走査装置，(３)はデイジタル入力装置(１)と並列に設けられ，計器用変圧器，変流器の計測データまたは２次側データ等の並列アナログ計測データを入力し，この各入力をそれぞれ直流電圧に変換する複数の交流−直流変換器，(４)はこれら各変換器のアナログ入力をデイジタル入力に変換するアナログ−デイジタル変換器（以下Ａ／Ｄ変換器と称す），(５)はこのＡ／Ｄ変換器で変換された計測データの並列デイジタル信号とデイジタル入力装置(１)からのオンオフデータの並列デイジタル信号をそれぞれ走査装置(２)のタイミング信号により入力し，それぞれ直列信号に変換する並直列変換器，(６)はこの並直列変換器の両直列信号を送信する送信機である。
　この両直列信号はフォーマット(７)に示すように固定ワードで直列に連結，構成されて送信される。
　次に上記構成による従来装置によれば，デイジタル入力装置(１)は被制御機器のオンオフ状態を常時入力し，走査装置(２)よりデータを送信する要求を受け付けると，入力した並列オンオフデータにワードアドレスを付加した信号を並直列変換器(５)に出力し，送信機(６)を介してオンオフデータを直列信号の固定ワードにして送信フォーマット(７)後半のビットにして送信するものであり，一方，変換器(３)により直流に変換され，かつＡ／Ｄ変換器(４)により並列デイジタル信号に変換された計測データのデイジタル信号を走査装置(２)のタイミング信号により，並直列変換器(５)に前記オンオフデータ信号と同期させて出力し，フォーマット(７)に示すようにこの計測データとオンオフデータをそれぞれ固定ワードにして直列に連結させ，送信機(６)を介して送信するものである。しかして上記動作をサイクリックに繰り返して被監視所の状態を送信する。」（１頁右下欄１行〜２頁右上欄３行
）　
（ウ）「以下，本発明の一実施例を第２図の接続図について説明すると，図中，(１)〜(７)は第１図の従来装置と同一であり，(８)は機器の状態変化を検出する検出器，(１０)はこの検出器(８)の検出信号(９)が発生したとき，またはオンオフデータ送信要求信号を受信したとき開くゲート回路であり，(１１)は状態変化検出信号(９)およびオンオフデータ送信要求信号がないとき開くゲート回路である。」（２頁右上欄２０行〜同頁左下欄７行）
（エ）「ゲート回路(１０)は上記状態変化検出信号またはオンオフデータ送信要求信号のうちいづれか１つの信号で開くように設定されており，オンオフデータを出力する。同時にゲート(１１)は上記状態変化検出信号またはオンオフデータ送信要求信号のうちいづれか１つの信号で閉じるように設定されており，計測データの出力をロックする。
　したがつて常時は計測データを送信し，被制御機器の状態変化が発生したときまたはオンオフデータの送信を行う必要が発生したときオンオフデータに切換えて送信できるものである。」（２頁右下欄１〜１１行）
　
（４）本願の出願前に頒布された刊行物である特開２００２−２１５４８３号公報（以下，「刊行物４」という。）には，「機器制御システム並びに，機器制御システムにおけるコントローラ及びデバイス」に関し，図面とともに以下の事項が記載されている。
（ア）「【０００１】
【発明の属する技術分野】本発明は，映像，音響又は情報に関するデータの中の何れか１つ以上を取り扱う，少なくとも２つ以上の機器が，伝送路を介して接続されてなるＡＶＣ（Audio Video Computer）システムに接続された機器の操作を，ＡＶＣシステムを構成するネットワークを通して行う機器制御システム，及びこの機器制御システムに用いるデバイス及びコントローラに関するものである。」
（イ）「【０１４９】図７（ａ），（ｂ）は，デバイスが状態情報を通知する際に使用する状態情報コマンドの一例である。図７（ａ）では，
デバイスは
デバイス内の全ての状態情報をひとつのコマンドで，コントローラへ通知する。ここで，オペコード，オペランド，識別情報からなるヘッダーに続いて，デバイス状態情報及び複数のサブデバイス状態情報が格納されている。
（ウ）「【０１５０】さらに，
デバイス状態情報及びサブデバイス状態情報中には，関連する機能状態情報をまとめて配置している。例えば，デバイス状態情報は，このデバイスがアクティブか否かを示す情報と，ストリームデータを伝送路１上のどのチャンネルに出力しているかの情報，そのストリームデータのソースはどのサブデバイスかを示す情報等を含む。このように適宜まとめて記載することも可能であり，データ量を少なくでき，伝送路１上の通信をさらに減らすことができる。
　
３．発明の対比
　本願補正発明と引用発明とを対比する。
　後者の「一般家庭」は，前者の「需要家」に相当し，後者の「リモコン」は，前者の「制御装置」に相当する。後者の「温度データの上位桁又は下位桁を含むデータ」及び「入力データＩ０〜Ｉ１５」は，温度データや電気機器の運転状態を示す情報であるから，前者の「メッセージ」に相当し，後者の「送出する」は，前者の「送信する」に相当する。
　後者の「電気機器から，各電気機器を制御するコントローラがＩＦＵ３０と協働して，前記一般家庭に設けられたリモコンに対して温度データの上位桁又は下位桁を含むデータを送出するステップを備え，前記ステップで送出するデータは入力データＩ０〜Ｉ１５であ」ることは，前者の「電気機器から前記需要家に設けられた制御装置に対してメッセージを送信する」ことに相当する。
　後者の入力データの「Ｉ０〜Ｉ７部分」は，電気機器の運転状態を示す情報が格納されているから，前者の「運転状態フィールド」に相当する。後者の入力データの「Ｉ８〜Ｉ１５部分」は，温度データの上位桁又は下位桁であるデータが格納されているから，前者の「特性値フィールド」に相当する。
　
　そうすると，両者は，
「電力系統から電力の供給を受ける需要家に設けられた電気機器から前記需要家に設けられた制御装置に対してメッセージを送信するステップを備え，
　前記メッセージは，前記電気機器の運転状態を示す情報が格納される運転状態フィールド，及び前記電気機器の運転状態に関する特性値が格納される特性値フィールドの双方を含む，
通信方法。」
の点で一致し，以下の点で相違する。
　
＜相違点＞
　メッセージに含まれる「特性値フィールド」が，本願補正発明では，「特性値の整数部を格納する第１のデータフィールド」及び「特性値の小数部を格納する第２のデータフィールド」を含むのに対し，引用発明では，「温度データの上位桁又は下位桁」を含むものの，温度データの上位桁と下位桁とがそれぞれ別のステップでリモコンへ送信される点。
　
４．相違点の検討
＜相違点について＞
　電気機器の運転状態に関する計測値等，電気機器の運転状態に関する情報（特性値）を送信する場合に，当該情報を複数の送信ステップに分割して送るのではなく，単一の送信ステップで当該情報を送信することは，例えば，刊行物３に「機器の状態を示すオンオフデータと，上記機器による計測データとを並列の伝送路からそれぞれ入力し，上記計測データとオンオフデータの固定ワードを直列に連結して，サイクリック送受信する」（記載事項（ア）参照）と，刊行物４に「デバイスは，デバイス内の全ての状態情報をひとつのコマンドで，コントローラへ通知する。ここで，オペコード，オペランド，識別情報からなるヘッダーに続いて，デバイス状態情報及び複数のサブデバイス状態情報が格納されている。」（記載事項（イ）参照）と記載されているように，周知の技術的事項である。
　また，伝送路上の通信を減らすことは，通信技術における一般的な課題であり，かつ，情報をまとめて送ることにより，伝送路上の通信を減らす効果が得られることは，例えば，刊行物４の記載事項（ウ）に記載されているように，周知の技術的事項である。
　したがって，引用発明の通信方法において，通信技術における伝送路上の通信を減らすという課題を解決するために，引用発明に「単一の送信ステップで情報を送信する」という，周知の技術的事項を適用し，温度データの上位桁のデータフィールドと，下位桁のデータフィールドの双方を単一のメッセージに含ませて送信することは，当業者が適宜なし得たことである。
　なお，本願補正発明においては，特性値が具体的に何であるかも，どのような単位系を用いるかも規定していないから，特性値のデータフィールドが，「特性値の整数部を格納する第１のデータフィールド」及び「特性値の小数部を格納する第２のデータフィールド」に分かれている点は，特性値を上位桁のデータフィールドと，下位桁のデータフィールドに分けること以上の技術的意味が見いだせるものではない。
　さらに，特性値のデータフィールドが，「特性値の整数部を格納する第１のデータフィールド」及び「特性値の小数部を格納する第２のデータフィールド」に分かれている点については，上記刊行物２の記載事項（ア）に，整数部を格納するフィールドと，小数部を格納するフィールドとに分割して格納することが記載されているように，通信技術において周知の技術的事項にすぎない。
　したがって，引用発明の「温度データの上位桁のデータフィールドと，下位桁のデータフィールド」のそれぞれに通信技術において周知技術である「整数部」と「小数部」を格納して，温度データの上位桁のデータフィールドと，下位桁のデータフィールドの双方を単一のメッセージに含ませて送信するものとすることにより，上記相違点に係る本願補正発明の構成とすることは，当業者が容易に想到し得たことである。　
　そして，本願補正発明の効果について検討しても，引用発明及び周知の技術的事項から格別なものでもない。
　以上を総合すると，本願補正発明は，引用発明及び刊行物２〜４に例示される周知の技術的事項に基づいて当業者が容易に発明をすることができたものというべきである。
　したがって，本願補正発明は，特許法第２９条第２項の規定により特許出願の際独立して特許を受けることができない。
　
５．審判請求書の主張について
　審判請求人は，審判請求書において，本願補正発明は「特性値の小数部を扱うことができる制御装置」及び「特性値の小数部を扱うことができない制御装置」の双方が混在し得る環境下で用いることを前提事項としており，このような環境下であっても，制御装置が特性値の小数部を扱うことができるか否かを電気機器が意識せずにメッセージを送信したとしても，メッセージを受信する制御装置でエラーが生じる事態を抑制できるという効果を奏する旨主張している（審判請求書３頁６〜１４行，５頁１３〜２４行）。
　しかし，審判請求人が本願補正発明の前提事項であると主張する「特性値の小数部を扱うことができる制御装置及び特性値の小数部を扱うことができない制御装置の双方が混在し得る環境下」であることは，本願補正発明に規定されていない。さらに，このような前提事項は，本件補正後の特許請求の範囲又は明細書，本願の出願当初の特許請求の範囲又は明細書，若しくは本願の原出願である特願２０１１−８６８２３号の出願当初の特許請求の範囲又は明細書のいずれにも記載されていないし，これらの記載事項から自明な事項であるとも認められない。
　審判請求人の上記主張は，本願補正発明が規定する発明特定事項に基づく主張ではないから失当であり，採用することができない。
　
６．小括
　以上のとおり，本件補正は，特許法第１７条の２第６項において準用する同法第１２６条第７項の規定に違反するものであり，同法第１５９条第１項で準用する同法第５３条第１項の規定により却下すべきものである。
　よって，補正の却下の決定の結論のとおり決定する。
　
第３　本願発明について
１．本願発明
　平成２８年　５月　９日付けの手続補正は，上記のとおり却下されたので，本願の請求項１に係る発明（以下，「本願発明」という。）は，平成２８年　１月１８日付け手続補正書の特許請求の範囲の請求項１に記載された事項により特定される次のとおりのものと認められる。
「【請求項１】
　電力系統から電力の供給を受ける需要家に設けられた電気機器から前記需要家に設けられた他の機器に対してメッセージを送信するステップを備え，
　前記メッセージは，前記電気機器の運転状態を示す情報が格納される運転状態フィールド及び前記電気機器に関する特性値が格納される特性値フィールドの双方を含み，
　前記特性値フィールドは，前記特性値の整数部を格納する第１のデータフィールド及び前記特性値の小数部を格納する第２のデータフィールドを含むことを特徴とする通信方法。」
　
２．引用例の記載事項
　原査定の拒絶の理由に引用された刊行物及び本願出願前に頒布された刊行物，並びにそれらの記載事項は前記第２　２.(１)〜(４)に記載したとおりである。
　
３．対比・判断
　本願発明は，本願補正発明の「制御装置」を「他の機器」と，「電気機器の運転状態に関する特性値」を「電気機器に関する特性値」と，本件補正によりそれぞれ限定した事項を元に戻したものである。
　そうすると，本願発明を特定する事項を全て含み，さらに本願発明の特定する事項を限定したものに相当する本願補正発明が，上記第２　４．に記載したとおり，引用発明及び周知の技術的事項に基づいて，当業者が容易に発明をすることができたものであるから，本願発明も，同様の理由により，引用発明及び周知の技術的事項に基づいて，当業者が容易に発明をすることができたものであり，特許法第２９条第２項の規定により特許を受けることができないものである。
　
４．むすび
　以上のとおり，本願発明は，引用発明及び周知の技術的事項に基づいて当業者が容易に発明をすることができたものであるから，特許法第２９条第２項の規定により特許を受けることができない。
　そうすると，本願は，他の請求項に係る発明について検討するまでもなく，拒絶されるべきものである。
　よって，結論のとおり審決する。